(57)【特許請求の範囲】
【請求項１】
持ち運び可能な物品に、文字、数字又は絵柄を表示するため、目印となる文字、数字又は絵柄表示用標記部であって、前記物品の外面の少なくとも一部に線若しくは点を文字、数字又は絵柄をあらわすように一定の幾何学的法則により組み合わせた模様を有し、前記外面の素材は筆記具で記載できるように表面状態が形成されており、該模様に基づき文字、数字又は絵柄を一定の規則に基づき記入でき、
前記模様は、複数の標記本体部を複数並設したもので、
前記標記本体部は、一方に配置され前記一方とその反対側の他方を結ぶ方向と交差する一側及びその反対側にある他側の向きで分割された一側の一方辺分割部及び他側の一方辺分割部と、
他方に配置され一側及び他側の向きで分割された一側の他方辺分割部及び他側の他方辺分割部と、
一側に配置され一方と他方に分割された一方の一側辺分割部及び他方の一側辺分割部と、
他側に配置され一方と他方に分割された一方の他側辺分割部及び他方の他側辺分割部と、
前記一側の一方辺分割部及び他側の一方辺分割部との中間と前記一側の他方辺分割部及び他側の他方辺分割部との中間とを結ぶように一方及び他方向きで一方、他方に分割された一方の中間辺分割部及び他方の中間辺分割部と、
前記一方の一側辺分割部及び他方の一側辺分割部との中間と前記一方の他側辺分割部及び他方の他側辺分割部との中間とを結ぶように一側及び他側向きで一側、他側に分割された一側の中間辺分割部及び他側の中間辺分割部と、
前記一側の一方辺分割部及び一方の一側辺分割部との第一の角部中間と他側の他方辺分割部及び他方の他側辺分割部との第二の角部中間とを結ぶように一方、他方に分割された一側斜め一方向き方向の一方分割部及び他方分割部と、
前記他側の一方辺分割部及び一方の他側辺分割部との第三の角部中間と一側の他方辺分割部及び他方の一側辺分割部との第四の角部中間とを結ぶように一方、他方に分割された他側斜め一方向き方向の一方分割部及び他方分割部とを備えたことを特徴とする文字、数字又は絵柄表示用標記部。
【請求項２】
前記模様は前記物品の外面に対して凸又は凹状であることを特徴とする請求項１記載の文字、数字又は絵柄表示用標記部。
【請求項３】
前記模様に別パーツの構成部品を係合することで文字、数字又は絵柄を標記できることを特徴とする請求項２記載の文字、数字又は絵柄表示用標記部。
【請求項４】
少なくとも前記凸又は凹状部分は耐熱性のある素材で、前記構成部品を加熱溶着させることを特徴とする請求項３記載の文字、数字又は絵柄表示用標記部。
【請求項５】
前記物品が飲料、食料を収容する携帯用断熱容器であることを特徴とする請求項１〜４のいずれか１項に記載の文字、数字又は絵柄表示用標記部。
【請求項６】
前記物品が弁当箱であることを特徴とする請求項１〜４のいずれか１項に記載の文字、数字又は絵柄表示用標記部。
【請求項７】
前記物品が携帯用の保冷又は保温用容器であることを特徴とする請求項１〜４のいずれか１項に記載の文字、数字又は絵柄表示用標記部。
【発明の詳細な説明】
【技術分野】
【０００１】
本発明は、飲料用容器、弁当箱又はそれらを収納するケース等の持ち運び可能な品物に、所有者、使用者等管理者に応じてひらがな、カタカナ、漢字等文字や、漢数字、アラビア数字、ローマ数字等数字や、絵の模様や図案等絵柄を表示するため、目印となる文字、数字又は絵柄表示用標記部に関する。
【背景技術】
【０００２】
従来、断熱容器は、例えば両手で持てる大きさの内筒と外筒間に断熱部（図示せず）を備えた断熱構造の平面円筒形の容器本体と、該容器本体の上部開口に着脱可能に装着される栓体とで構成されている（例えば特許文献１）。
【０００３】
また、飲料用容器の収納ケースとして、容器本体の注ぎ口を開口部から突出させて断熱容器を収納する有底筒状の収納ケースからなる飲料用容器の収納ケースも知られている（例えば特許文献２）。
【０００４】
さらに、内ケースと外ケースとの間に断熱構造を有し、上部収容口を備えた断熱容器と、該上部収容口から断熱容器内に収容可能な主容器と、該主容器の上部開口を覆う断熱構造の蓋部材とを備えた保温弁当箱も知られている（例えば特許文献３）。
【０００５】
また、食品容器と、底面部と左面部と前面部と右面部と後面部と該後面部の上辺に起伏自在に接続され上部開口を閉塞可能な上蓋板部とからなり食品容器を収納する収納具と、上蓋板部の上方に握り部が配置され取付部を前面部、後面部にそれぞれ接続する持ち手とを備え、これらはポリエステル布等からなる外生地と内生地との間にポリエチレン等発泡材による断熱材を設け、可撓性であって、さらに断熱性を有するようになっている携帯用食品容器収納具も知られている（例えば特許文献４）。
【０００６】
一方、名前、数字、絵柄を表示するため、目印となる文字、数字又は絵柄表示用標記部として、アイロンビーズ玩具が知られている。このアイロンビーズ玩具は、本体部と当該本体部に装着する基板を有し、前記基板は、耐熱性の合成樹脂素材によって形成され表面に等間隔に配列された小径の凸状体を複数個有し、当該凸状体に加熱によって溶融する性質を有した小円筒体を装着可能にし、使用者は、本体部に対して基板が装着された状態で、小円筒体を凸状体に対して差し込むように複数並べ、所定の絵や模様を形成することができるというものである（例えば特許文献５）。
【０００７】
また、従来において、幼児、低学年向け製品以外には「お名前記入欄」、「お名前表示欄」がない商品が多く、使用者が自分のボトルやそのポーチを識別できなかった。このため、製品に直に書き込む、別途ラベルを貼り付ける。若しくはキーホルダーのようなアクセサリーを取り付け、自分のものと分かる記号性をつける等、使用者が自ら工夫する必要があった。
【先行技術文献】
【特許文献】
【０００８】
【特許文献１】特開２００９−１７９３８４号公報
【特許文献２】特開２００９−１８４６７８号公報
【特許文献３】特開２００５−１１０７３４号公報
【特許文献４】特開２０１１−１６７３１２号公報
【特許文献５】特開２００５−３４４２９号公報
【発明の概要】
【発明が解決しようとする課題】
【０００９】
従来技術においては、所有者又は使用者等の管理者を特定するために、名前等を示す文字又は電話番号等を示す数字或いは絵柄を書き込み等によりあらわすような手段は設けられていなかった。
【００１０】
さらに、防犯上の観点から、他人の目に触れる場所に直接名前を表示することが躊躇され、名前を書けない場合もある。また、個人の使用だけではなく、チーム、学校等団体での使用シーンでも同様の状況が起こっている。他と区別して自分のものと分かる名前や記号が無いと、引率者等が使用者を識別することが困難であり、忘れ物や落し物になってしまい、持ち主の元に戻りにくくなる。
【００１１】
そこで、本発明は、持ち運び可能な品物に、所有者、使用者等管理者に応じて文字、数字又は絵柄を表示しやすくするため目印となる文字、数字又は絵柄表示用標記部を提供することを目的とする。
【課題を解決するための手段】
【００１２】
請求項１の発明の文字、数字又は絵柄表示用標記部は、持ち運び可能な物品に、文字、数字又は絵柄を表示するため、目印となる文字、数字又は絵柄表示用標記部であって、前記物品の外面の少なくとも一部に線若しくは点を文字、数字又は絵柄をあらわすように一定の幾何学的法則により組み合わせた模様を有し、前記外面の素材は筆記具で記載できるように表面状態が形成されており、該模様に基づき文字、数字又は絵柄を一定の規則に基づき記入でき、前記模様は、複数の標記本体部を複数並設したもので、前記標記本体部は、一方に配置され前記一方とその反対側の他方を結ぶ方向と交差する一側及びその反対側にある他側の向きで分割された一側の一方辺分割部及び他側の一方辺分割部と、他方に配置され一側及び他側の向きで分割された一側の他方辺分割部及び他側の他方辺分割部と、一側に配置され一方と他方に分割された一方の一側辺分割部及び他方の一側辺分割部と、他側に配置され一方と他方に分割された一方の他側辺分割部及び他方の他側辺分割部と、前記一側の一方辺分割部及び他側の一方辺分割部との中間と前記一側の他方辺分割部及び他側の他方辺分割部との中間とを結ぶように一方及び他方向きで一方、他方に分割された一方の中間辺分割部及び他方の中間辺分割部と、前記一方の一側辺分割部及び他方の一側辺分割部との中間と前記一方の他側辺分割部及び他方の他側辺分割部との中間とを結ぶように一側及び他側向きで一側、他側に分割された一側の中間辺分割部及び他側の中間辺分割部と、前記一側の一方辺分割部及び一方の一側辺分割部との第一の角部中間と他側の他方辺分割部及び他方の他側辺分割部との第二の角部中間とを結ぶように一方、他方に分割された一側斜め一方向き方向の一方分割部及び他方分割部と、前記他側の一方辺分割部及び一方の他側辺分割部との第三の角部中間と一側の他方辺分割部及び他方の一側辺分割部との第四の角部中間とを結ぶように一方、他方に分割された他側斜め一方向き方向の一方分割部及び他方分割部とを備えたことを特徴とする。
【００１３】
請求項２の発明の文字、数字又は絵柄表示用標記部は、前記模様は前記物品の外面に対して凸又は凹状であることを特徴とする。
【００１４】
請求項３の発明の文字、数字又は絵柄表示用標記部は、請求項２において、前記模様に線状、円状等の構成部品を係合することで文字、数字又は絵柄を標記できることを特徴とする。
【００１５】
請求項４の発明の文字、数字又は絵柄表示用標記部は、請求項３において、少なくとも前記凸又は凹状部分は耐熱性のある素材で、前記構成部品を加熱溶着させることを特徴とする。
【００１６】
請求項５の発明の文字、数字又は絵柄表示用標記部は、請求項１〜４において、前記物品が飲料、食料を収容する携帯用断熱容器であることを特徴とする。
【００１７】
請求項６の発明の文字、数字又は絵柄表示用標記部は、請求項１〜４において、前記物品が弁当箱であることを特徴とする。
【００１８】
請求項７の発明の文字、数字又は絵柄表示用標記部は、請求項１〜４において、前記物品がクーラーボックス、クーラーバッグなどの携帯用の保冷又は保温用容器であることを特徴とする。
【発明の効果】
【００１９】
請求項１の発明によれば、一定の幾何学的法則により組み合わせた模様にしたがって文字、数字又は絵柄を簡単にあらわすことができる。また、それぞれの分割部を選択して表示することで、複雑な形状でも表示することができる。
【００２０】
請求項２の発明によれば、一定の幾何学的法則により構成組み合わせた模様にしたがって文字、数字又は絵柄を、凸又は凹状の箇所を利用して簡単にあらわすことができる。
【００２１】
請求項３の発明によれば、油性ペンなどを利用した書き込みとは異なり、構成部品を係合することで簡単に表示を形成することができ、またそのやり直しも容易である。
【００２２】
請求項４の発明によれば、構成部品を加熱溶着させることで、文字、数字又は絵柄を確実に保持することができる。
【００２３】
請求項５の発明によれば、飲料、食料を収容する携帯用断熱容器において、一定の幾何学的法則により組み合わせた模様にしたがって文字、数字又は絵柄をあらわすことで、自分の容器と他人の容器を簡単に識別でき、自分の容器を他人が持っていって、誤って飲料や食料を飲まれたり、食されたりするようなことを阻止することができる。
【００２４】
請求項６の発明によれば、弁当箱において、一定の幾何学的法則により組み合わせた模様にしたがって文字、数字又は絵柄をあらわすことで、例えば同じような弁当箱が並べられていても、例えば自分の弁当箱と他人の弁当箱や、アレルギー対策の食材を収容した弁当と、それ以外の弁当を簡単に識別できる。
【００２５】
請求項７の発明によれば、クーラーボックスや、クーラーバッグなどの携帯用の保冷又は保温用容器において、一定の幾何学的法則により組み合わせた模様によって、クラブやチームを識別するための文字、数字又は絵柄を簡単にあらわすことができる。
【図面の簡単な説明】
【００２６】
【図１】本発明の実施例１を示す正面図である。
【図２】同標記本体部を示す正面図である。
【図３】同表示状態を示す斜視図である。
【図４】本発明の実施例２を示す平面図である。
【図５】同断面図である。
【図６】本発明の実施例３を示す正面図である。
【図７】同断面図である。
【図８】本発明の参考例１を示す標記本体部を示す正面図である。
【図９】本発明の実施例４を示す斜視図である。
【図１０】本発明の実施例５を示す斜視図である。
【発明を実施するための形態】
【００２７】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２８】
図１〜３で示す実施例１は、持ち運び可能な物品である携帯用の飲料用容器１を収納するためのポーチ等と称する縫製物からなる布製の収納ケース２であって、容器本体３の注ぎ口を覆った栓４或いはコップを、収納ケース２の開口部５から突出させるようにして収納できるように有底筒状に形成されている。そして、その外面には地色、例えば青色と異なる色、例えば黒色からなる正面が円環状な模様部６が視認できるように形成されており、この円環状模様部６の内側に文字、数字又は絵柄を表示可能な目印として記す標記用模様部７を地色と異なる色によって視認できるように、印刷、編み、成形など適宜手段により表示できるように形成されている。
【００２９】
前記標記用模様部７は、線若しくは点を文字、数字又は絵柄をあらわすように一定の幾何学的法則により組み合わせたものであり、前記外面の素材はペン等で記載できるように表面状態が形成されており、該標記用模様部７に基づきアルファベット文字、数字又は絵柄を一定の規則に基づき記入できるようになっている。
【００３０】
実施例の標記用模様部７は、一つのフォント状の標記用模様部本体８を、一方、その反対側の他方、一方と他方を結ぶ方向に交差、実施例では直交する一側、この一側と反対側の他側である、上下左右方向に複数並設したものであって、標記用模様部本体８は正面がほぼ矩形枠状であり、実施例では一方が他方よりも他側に傾斜して、以下のように分割されている。尚、図中９は開口部５の締め付け用バンド、10は開口部５に設けられた吊り下げ用バンド（図示せず）の接続用リングである。
【００３１】
前記標記用模様部７は複数の標記用模様部本体８を複数並設したもので、前記標記用模様部本体８は、それぞれ短直線状をなした
一方に配置され前記一方とその反対側の他方を結ぶ方向と交差する一側及び他側の向きで分割された一側の一方辺分割部11及び他側の一方辺分割部12と、
他方に配置され一側及び他側の向きで分割された一側の他方辺分割部13及び他側の他方辺分割部14と、
一側に配置され一方と他方に分割された一方の一側辺分割部15及び他方の一側辺分割部16と、
他側に配置され一方と他方に分割された一方の他側辺分割部17及び他方の他側辺分割部18と、
前記一側の一方辺分割部11及び他側の一方辺分割部12との中間と前記一側の他方辺分割部13及び他側の他方辺分割部14との中間とを結ぶように一方及び他方向きで一方、他方に分割された一方の中間辺分割部19及び他方の中間辺分割部20と、
前記一方の一側辺分割部15及び他方の一側辺分割部16との中間と前記一方の他側辺分割部17及び他方の他側辺分割部18との中間とを結ぶように一側及び他側向きで一側、他側に分割された一側の中間辺分割部21及び他側の中間辺分割部22と、
前記一側の一方辺分割部11及び一方の一側辺分割部15との第一の角部中間と他側の他方辺分割部14及び他方の他側辺分割部18との第二の角部中間とを結ぶように一方、他方に分割された一側斜め一方向き方向の一方分割部23及び他方分割部24と、
前記他側の一方辺分割部12及び一方の他側辺分割部17との第三の角部中間と一側の他方辺分割部13及び他方の一側辺分割部16との第四の角部中間とを結ぶように一方、他方に分割された他側斜め一方向き方向の一方分割部25及び他方分割部26とを備えている。
【００３２】
そして、標記用模様部本体８を複数並設することで、
前記一側の一方辺分割部11及び他側の一方辺分割部12に、一方に隣接する標記用模様部本体８Ａの一側の他方辺分割部13Ａ及び他側の他方辺分割部14Ａを重ね合わせ、
前記一側の他方辺分割部13及び他側の他方辺分割部14に、他方に隣接する標記用模様部本体８Ｂの一側の一方辺分割部11Ｂ及び他側の一方辺分割部12Ｂを重ね合わせ、
前記一方の一側辺分割部15及び他方の一側辺分割部16に、一側に隣接する標記用模様部本体８Ｃの一方の他側辺分割部17Ｃ及び他方の他側辺分割部18Ｃを重ね合わせ、
前記一方の他側辺分割部17及び他方の他側辺分割部18に、他側に隣接する標記用模様部本体８Ｄの一方の一側辺分割部15Ｄ及び他方の一側辺分割部16Ｄを重ね合わせるように配置し、
前記分割部11〜26のいずれかを筆記用具のインク等着色材29で塗りつぶして第一の表示部27、第二の表示部28としている。
【００３３】
第一の表示部27、第二の表示部28は、前記分割部11〜26のいずれかを表示部の一部とするものであり、分割部11〜26は、内側に地色を表すことができるように縁を閉ループ状に配置された地色と異なる、例えば無彩色である黒色の線状部30を印刷或いは縫い目、或いは編み絵柄等によって形成されており、この線状部30に囲まれた内側を、地色と異なる色、例えば白色のペン先からのインクで塗りつぶすことで地色よりも異なる色の面積を広くして線状部30よりも視認しやすい表示部を形成することができる。
【００３４】
そして、分割部11〜26のいずれかを表示部とするとき、例えば第一の表示部27となるローマ字の「Ｗ」は、一側辺分割部15、一側辺分割部16、他側辺分割部17、他側辺分割部18、他方分割部24、他方分割部26の内側にあらわれている地色や線状部30を、無彩色である白色のインクなど着色材29で塗りつぶして「Ｗ」を表示部とする。
【００３５】
また、第二の表示部28となる数字「１」は一方辺分割部11、他方辺分割部13、他方辺分割部14、中間辺分割部19、中間辺分割部20の内側にあらわれている地色や線状部30を、無彩色である白色のインクで塗りつぶして「１」を表示部とする。
【００３６】
尚、隣接する各分割部11〜26の端部相互には隙間31が形成されている。この隙間31はなくともよい。標記用模様部７においては、図３に示すようにローマ字「Ａ」〜「Ｚ」、数字「０」〜「９」をあらわすことができるほかに、符号32で示す漢字「川」や符号33で示す「チューリップ」の絵柄模様等もあらわすことができる。
【００３７】
以上のように、前記実施例では縫製物において、その外面の少なくとも一部に線を文字、数字又は絵柄をあらわすように一定の幾何学的法則により標記用模様部本体８を組み合わせた標記用模様部７を有し、前記外面の素材はペン等で記載できるように表面状態が形成されており、該標記用模様部７に基づきアルファベット文字、数字又は絵柄を一定の規則に基づき記入できるようにしたことで、分割部11〜26にしたがってインク等で地色を消すようにして別の色で、ローマ字での名前の記載だけではなく、イニシャル、背番号、アイコン等自分で考え創造することを楽しむことができる。また、新規で部品を追加する必要が無く、コストアップを防ぐことができる。しかも、地柄のグラフィックを塗りつぶさずとも使用者はそのまま使用できる。未処理のグラフィック、テクスチャー、パターンは、そのままグラフィックとして成立することができる。この結果、キッズ、クラブユース等のシーンで、多くの類似品の中から使用者が自分自身の所有物だと直ぐに認識できる。
【００３８】
さらに、収納ケース２を油性ペンなどのにじまない材料にしたり、収納ケース２の表面をコーティングすることによって、名前、イニシャル等の記載時に油性ペンのインクの滲みを抑え、ガイドにあわせ塗り書くので単に書くより綺麗に書き込むことができる。しかも、それぞれの分割部を凹凸の刻印や凹凸の印刷により書き込みのし易さ、グリップ性能の向上を図ることもできる。
【実施例２】
【００３９】
以下に他の実施例について説明する。尚、実施例１と同一部分には同一符号を付し、その詳細な説明を省略する。図４、５は実施例２を示しており、実施例２は樹脂製の飲料用容器41における栓体42の天面に注出口（図示せず）を覆う蓋体43がヒンジ部44を介して起伏自在に設けられており、そして、天面における蓋体43と反対側に標記用模様部７Ａを設ける。この標記用模様部７Ａの前述の各分割部は天面に印刷或いはシボ加工等により、天面と色調を異なるようにして形成されており、標記用模様部７Ａ中の選択された分割部に別パーツで、分割部とほぼ同じ大きさの貼り付け部材であるステッカー45を貼り付けることで、実施例の場合には数字「３」を表した表示部としている。
【００４０】
以上のように、前記実施例では分割部とほぼ同じ大きさのステッカー45を貼り付けることで、実施例１と同様にステッカー45で地色を消すようにして別の色で、ローマ字で名前等自分で考え創造することを楽しむことができる。また、インクで手が汚れるようなことなく子供でも簡単に表示部を形成することができる。
【実施例３】
【００４１】
図６、７は実施例３を示しており、実施例３は樹脂製の飲料用容器であって、筒型の容器本体51と、容器本体51の上部開口に設けられる栓体52の天面に注出口（図示せず）を覆う蓋体53がヒンジ部（図示せず）を介して起伏自在に設けられており、また、容器本体51には左右において軸支され容器本体51を吊り下げ状態で保持可能な取手55を備えている。図中、56は閉蓋するためのストッパーである。
【００４２】
そして、樹脂製の容器本体51の全面或いは一部に標記用模様部７Ｂを設ける。容器本体51における少なくとも標記用模様部７Ｂの箇所は耐熱性のある素材によって形成されており、分割部は凹状部分57（又凸状部分）によって一体的に形成されている。実施例では、分割部は刻印状の凹状部分57によって形成されており、この凹状部分57に、別パーツの線状、円状等の文字、数字を形成するエレメントとなる構成部品58を嵌め込むことで、ローマ字「Ｎ」の表示部としている。尚、凹状部分57に嵌め込んだ文字、数字構成部品58を加熱溶着させることで、表示部を固定している。
【００４３】
また、凹状部分57を筆記具（図示せず）により地色と異なる色のインク等着色材59で塗りつぶすことで、数字「１」の表示部としている。
【００４４】
以上のように、前記実施例では分割部を凹状部分57として、分割部に文字、数字構成部品58を嵌めこむことで表示部を形成するので、油性ペンでの書き込みとは異なり、やり直しが容易である。また、凹状部分57に筆記用具の先を当てて凹状部分57をなぞりながらインク等着色材59で正確に塗りつぶしを行うことができる。さらに、表面に凹状部分57が形成されているので、手との滑り止め作用を奏することができる。
【００４５】
［参考例１］
図８は参考例１を示しており、参考例１では標記用模様部の７個の分割部61Ａ〜61Ｄ，61Ｂ′′〜61Ｄ′′を「８」の字状に配置しており、実施例では５箇所の箇所を着色して数字「２」を表示している。
【００４６】
このため、参考例１の一つのフォント状の標記用模様部本体60を、上下方向を一方、他方とし、左右方向を一側、他側としたとき、一方、その反対側の他方、一方と他方を結ぶ方向に交差、実施例では直交する一側、この一側と反対側の他側である、上下左右方向に複数並設したものであって、標記用模様部本体60は正面がほぼ矩形枠状であり、実施例では一方が他方よりも他側に傾斜している。
【実施例４】
【００４７】
図９は実施例４を示しており、実施例４では弁当箱70の蓋71の上面に模様部本体８´を並設したものである。したがって、自分の弁当箱70と他人のものとを簡単に識別でき、自分のものを他人持っていって、誤って食されたりするようなことを阻止することができる。
【実施例５】
【００４８】
図１０は実施例５を示しており、実施例５ではクーラーバッグ80の蓋81の上面に模様部本体８´´を並設したものである。したがって、クラブやチームを識別するための文字、数字又は絵柄をクーラーバッグ80に簡単にあらわすことができる。
【産業上の利用可能性】
【００４９】
以上のように本発明は、飲料用容器やその収納ケースのほかに、弁当箱やクーラーボックスの収納ケース等各種の用途に適用できる。また、他に樹脂又は金属等で形成された容器や、外出時に携帯する袋、バッグ等の縫製物などにも利用することができる。
【符号の説明】
【００５０】
２  収納ケース
７  ７Ａ ７Ｂ  標記用模様部
８  ８´  ８´´  模様部本体
11  一方辺分割部
12  一方辺分割部
13  他方辺分割部
14  他方辺分割部
15  一側辺分割部
16  一側辺分割部
17  他側辺分割部
18  他側辺分割部
19  中間辺分割部
20  中間辺分割部
21  中間辺分割部
22  中間辺分割部
23  一方分割部
24  他方分割部
25  一方分割部
26  他方分割部
33  絵柄模様
41  飲料用容器
57  凸又は凹状部分
58  構成部品
70  弁当箱
80  クーラーボックス
【図１】
0005803546.tif 000002
【図２】
0005803546.tif 000003
【図３】
0005803546.tif 000004
【図４】
0005803546.tif 000005
【図５】
0005803546.tif 000006
【図６】
0005803546.tif 000007
【図７】
0005803546.tif 000008
【図８】
0005803546.tif 000009
【図９】
0005803546.tif 000010
【図１０】
0005803546.tif 000011